(57)【要約】【課題】簡易な処理でユーザに接続が適切か否かを通知する機能を備えた再生装置を提供する。【解決手段】再生装置１は、ディスク１１からデータを読み出すための読出部１０１と、圧縮されたデータを復号するための復号部１０２と、データを合成するための合成部１０３と、デジタルデータをアナログデータに変換するためのＤ／Ａ変換部１０４と、管理情報３０に基づいてどのデータを出力するかを判定するための判定部１０５と、警告音等を生成するための警告発生部１０６と、判定部１０５からの制御信号によって読出部１０１または警告発生部１０６からの信号を選択的に出力するためのスイッチ１０７と、信号を外部装置に出力するための出力端子１０とを備える。【選択図】図２
2008187253.tif 000002
【特許請求の範囲】
【請求項１】
映像または音響のうち少なくとも１つを含むコンテンツデータおよび前記コンテンツデータに関する管理情報からなる再生対象のデータについて、前記管理情報に基づいて前記コンテンツデータを所定の態様で出力可能か否かを判定するための判定手段と、
出力不可を通知する警告信号を発生させるための警告発生手段と、
出力方式の異なる複数の出力端子を有し、前記複数の出力端子それぞれから前記コンテンツデータを出力するための出力手段とを備え、
前記出力手段は、前記判定手段の出力不可との判定結果に応じて、前記複数の出力端子のうち前記所定の態様で出力不可な少なくとも１つの所定の出力端子から前記警告信号を出力する、再生装置。
【請求項２】
媒体に記録された前記再生対象のデータを読み出すための読出手段をさらに備える、請求項１記載の再生装置。
【請求項３】
前記出力手段は、前記コンテンツデータまたは前記警告発生手段から与えられる警告信号のいずれか一方を選択して、前記所定の出力端子に与えるためのスイッチ手段を含み、
前記スイッチ手段は、前記判定手段の前記出力不可との判定結果に応じて、前記警告信号を選択する、請求項１記載の再生装置。
【請求項４】
前記コンテンツデータは符号化されたデータであり、
前記符号化されたデータを復号するための復号手段をさらに備える、請求項１記載の再生装置。
【請求項５】
前記コンテンツデータは、映像または音響の少なくとも１つを含むメインコンテンツと、前記メインコンテンツに重畳または合成して再生される映像または音響の少なくとも１つを含むサブコンテンツとから構成され、
前記所定の態様は、前記メインコンテンツと前記サブコンテンツとが重畳または合成して出力されることである、請求項１記載の再生装置。
【請求項６】
前記メインコンテンツまたは前記サブコンテンツの少なくとも１つは符号化されたデータであり、
前記符号化されたデータを復号するための復号手段をさらに備える、請求項５記載の再生装置。
【請求項７】
前記コンテンツデータは音響データであり、
前記所定の出力端子はＳ／ＰＤＩＦを含む、請求項１記載の再生装置。
【請求項８】
前記出力手段は、前記コンテンツデータと前記警告発生手段から与えられる警告信号とを合成し、前記所定の出力端子に与えるための警告合成手段を含み、
前記警告合成手段は、前記判定手段の前記出力不可との判定結果に応じて、前記コンテンツデータと前記警告信号とを合成し、前記所定の出力端子に与える、請求項１記載の再生装置。
【請求項９】
前記コンテンツデータは映像データであり、
前記所定の態様は、前記映像データの解像度を保持して前記所定の出力端子から出力されることである、請求項１記載の再生装置。
【発明の詳細な説明】
【技術分野】
【０００１】
本発明は、メディアに記録された映像及び／又は音響信号を再生し出力する再生装置に関する。特に、ＡＶアンプを含む出力機器を通して映像及び／又は音響信号を出力する際に、出力機器との接続状態が適切であるか否かを簡易な方法で示すことが可能な再生装置に関する。
【背景技術】
【０００２】
現在のＡＶ機器（たとえば、プレーヤやＡＶアンプ）は、ビデオ（映像）あるいはオーディオ（音響）信号線の接続について、アナログ、デジタルといった複数の入出力系統を備える。また、デジタルでも規格の異なる複数の入出力系統を備えることが少なくない。たとえば、次世代光ディスク規格であるＢＤ（Blu-ray Disc）のプレーヤでは、オーディオ出力について、アナログ、Ｓ／ＰＤＩＦ（Sony/Philips Digital Interface）、ＨＤＭＩ（High-Definition Multimedia Interface）といった複数の出力系統を備えることが想定される。そのような状況で、正しくＡＶ機器を接続することは、慣れないユーザにとって容易ではない。
【０００３】
接続を適切に行なわせるための対策としては、特許文献１に示されるように、信号の状態を検知して誤接続を検出しユーザに通知するものや、また、特許文献２に示されるように、接続するラインを１つに統一して、内部処理で入力信号を自動判定し適切に接続するものがある。
【特許文献１】特開平３−６６０８９号公報
【特許文献２】特開２００３−１６９３８９号公報
【発明の開示】
【発明が解決しようとする課題】
【０００４】
特許文献１の方式は、信号の有無を検知して誤接続を検出するが、その信号が正しい信号か否かに対しては効果が無い。たとえば、検知された信号が適切な再生のできない信号であった場合に、それを検知することはできない。また、特許文献２のような入力信号の自動判別処理を含む方式は、非常に処理が重い。
【０００５】
あるいは、機器が正しく接続されているかをマニュアルなど（オンラインマニュアルでも同様）を見て、ユーザが逐一確認することは無論可能だが、ユーザに負担を強いることは否めない。また、接続が適切か否かがコンテンツに依存（たとえば、あるコンテンツに対しては適切な接続でも別のコンテンツに対しては適切な接続でないといった状況）し、かつ、接続が誤っていてもある程度の再生が可能な場合などでは、接続が本当に適切な状態か否かがユーザには判りにくい。その結果、ユーザが気付かずに誤った接続のまま視聴してしまう可能性も高くなる。
【０００６】
本発明は、上記のような問題を解決するためになされたものであって、その目的は簡易な処理でユーザに接続が適切か否かを通知する機能を備えた再生装置を提供することである。
【課題を解決するための手段】
【０００７】
本発明の１つの局面に従うと、映像または音響のうち少なくとも１つを含むコンテンツデータおよびコンテンツデータに関する管理情報からなる再生対象のデータについて、管理情報に基づいてコンテンツデータを所定の態様で出力可能か否かを判定するための判定手段と、出力不可を通知する警告信号を発生させるための警告発生手段と、出力方式の異なる複数の出力端子を有し、複数の出力端子それぞれからコンテンツデータを出力するための出力手段とを備え、出力手段は、判定手段の出力不可との判定結果に応じて、複数の出力端子のうち所定の態様で出力不可な少なくとも１つの所定の出力端子から警告信号を出力する。
【０００８】
好ましくは、媒体に記録された再生対象のデータを読み出すための読出手段をさらに備える。
【０００９】
好ましくは、出力手段は、コンテンツデータまたは警告発生手段から与えられる警告信号のいずれか一方を選択して、所定の出力端子に与えるためのスイッチ手段を含み、スイッチ手段は、判定手段の出力不可との判定結果に応じて、警告信号を選択する。
【００１０】
好ましくは、コンテンツデータは符号化されたデータであり、符号化されたデータを復号するための復号手段をさらに備える。
【００１１】
好ましくは、コンテンツデータは、映像または音響の少なくとも１つを含むメインコンテンツと、メインコンテンツに重畳または合成して再生される映像または音響の少なくとも１つを含むサブコンテンツとから構成され、所定の態様は、メインコンテンツとサブコンテンツとが重畳または合成して出力されることである。
【００１２】
好ましくは、メインコンテンツまたはサブコンテンツの少なくとも１つは符号化されたデータであり、符号化されたデータを復号するための復号手段をさらに備える。
【００１３】
好ましくは、コンテンツデータは音響データであり、所定の出力端子はＳ／ＰＤＩＦを含む。
【００１４】
好ましくは、出力手段は、コンテンツデータと警告発生手段から与えられる警告信号とを合成し、所定の出力端子に与えるための警告合成手段を含み、警告合成手段は、判定手段の出力不可との判定結果に応じて、コンテンツデータと警告信号とを合成し、所定の出力端子に与える。
【００１５】
好ましくは、コンテンツデータは映像データであり、所定の態様は、映像データの解像度を保持して所定の出力端子から出力されることである。
【発明の効果】
【００１６】
本発明によれば、簡易な処理によりユーザに接続が適切か否かを通知することができる。これにより、余分な負担をかけずにユーザに接続が適切か否かを判断させ、不適切な場合に適切な接続への変更をユーザに促すことができる。
【発明を実施するための最良の形態】
【００１７】
以下、図面を参照しつつ本発明の実施の形態について説明する。以下の説明では、同一の部品には同一の符号を付してある。それらの名称および機能も同じである。したがって、それらについては詳細な説明は繰り返さない。
【００１８】
［実施の形態１］
図１は、実施の形態１に係る再生装置１を含むＡＶシステム１００を示した図である。
【００１９】
図１を参照して、ＡＶシステム１００について説明する。
ＡＶシステム１００は、再生装置１と、再生装置１と接続されたＡＶアンプ２１とから構成される。また、ＡＶアンプ２１は、スピーカ２２と接続される。
【００２０】
再生装置１の出力端子１０は、Ｓ／ＰＤＩＦ出力端子１０ａと、ＨＤＭＩ出力端子１０ｂと、アナログ出力端子１０ｃとを含む。また、ＡＶアンプ２１の入力端子２０は、Ｓ／ＰＤＩＦ入力端子２０ａと、ＨＤＭＩ入力端子２０ｂと、アナログ入力端子２０ｃとを含む。図１に示すように、出力端子と入力端子とは、それぞれ対応する端子と接続される。
【００２１】
実施の形態１では、再生装置１（プレーヤ）とＡＶアンプ２１とが多数のラインでオーディオ接続可能なとき、コンテンツの提供者が意図した通りにコンテンツが再生されないような、適切でない接続がされた状態にあることを簡易な方法で警告する方法と、該方法を実装したプレーヤとを示す。
【００２２】
簡易な方法とは具体的には、適切でない接続状態にあるラインにのみ警告音を出して、正しい接続をするようユーザに注意を促す。このため、図１のＡＶシステム１００では、特にオーディオの接続系統のみを図示し、モニタなど映像出力のための機器や映像信号、コントロール信号に関するライン接続系統は図示していない。無論、実際のＡＶシステムでは、図示されたオーディオライン接続以外にもビデオライン接続、コントロールライン接続がなされてかまわない。また、図１のＡＶシステム１００では簡便のため、１つの接続が１つの結線によってなされるように図示しているが、たとえばＬ／Ｒの２線を結線することで１つの接続がなされるように、１つの接続が複数の結線で構成されてもよい。また、図１のＡＶシステム１００では、信号の種類毎に１つの接続（入力端子・出力端子の組）があるように図示しているが、たとえば、ＨＤＭＩを２系統備えるなど、１つの種類に対して複数のライン接続系統が備えられてもよい。
【００２３】
ＡＶアンプ２１は通常、ライン接続されているいずれか１つの信号を選択してスピーカ２２へ出力する。この選択操作は手入力で行なわれるとしてもよいし、各入力信号の有無を判断してＡＶアンプ２１が最も優先される１つを選択して自動的に切替えるようにしてもよい。
【００２４】
実施の形態１では以下、再生装置１をＢＤおよびＤＶＤ（Digital Versatile Disc）が再生可能なディスクプレーヤと仮定し、記録されたコンテンツ毎に、あるいはメディア毎に、異なる最適なオーディオ出力ラインがあるものとして説明する。
【００２５】
次世代光ディスク規格であるＢＤの特徴機能の１つとして、拡張メニュー機能やＪａｖａ（登録商標）言語を利用したゲーム機能がある。これらの機能を利用して、ＢＤでは、たとえば、マルチチャンネルオーディオを含むＡＶコンテンツに重畳されるポップアップメニューやインタラクティブゲーム、マルチチャンネルオーディオデータをＢＧＭとして用いるメニュー画面などが記録可能である。更に、個々のメニュー項目やゲームの操作に対応する効果音（クリックサウンドなど）が割り当てられているとき、上記コンテンツを再生するＢＤプレーヤは、メニュー項目の選択やゲームの操作入力に伴い、対応する効果音をコンテンツオーディオやＢＧＭと合成して出力する機能を有する。
【００２６】
ただし、上記ＢＤプレーヤがＳ／ＰＤＩＦ出力を持つ場合、ＢＤ規格では、Ｓ／ＰＤＩＦに上記合成を行なわないでコンテンツオーディオやＢＧＭのみを出力することが許されている。Ｓ／ＰＤＩＦは、２チャンネルまでのＬＰＣＭ（Linear PCM）オーディオデータを転送する帯域幅しか持たず、３チャンネル以上のマルチチャンネルオーディオを転送するためには圧縮して転送する必要がある。このため、Ｓ／ＰＤＩＦは、実際にはディスクから読み出されたＡＣ−３（Ｒ）などの圧縮フォーマットの直接転送に利用され、クリックサウンドなど別のオーディオを合成することは実質的に困難となる（なお、プレーヤに再圧縮する能力が備わっていれば、ディスクから読み出されたＡＣ−３オーディオ信号を一旦復号し、マルチチャンネルのＬＰＣＭ信号上でクリックサウンドを合成した上で再圧縮し、ＡＣ−３データとしてＳ／ＰＤＩＦに載せることは可能である）。コンテンツオーディオやＢＧＭに合成されたクリックサウンドなど付加オーディオを聞くためには、別の、アナログ出力やＨＤＭＩ出力を通して聞けばよい。
【００２７】
以上から、ＢＤプレーヤでは、再生するコンテンツによって（即ち、コンテンツに効果音付きのポップアップメニューやインタラクティブゲームが含まれるか否かによって）、Ｓ／ＰＤＩＦで適切な再生がなされない場合が生じる。ここでいう「適切な再生」とは、コンテンツの提供者が意図した通りに再生されることを指す。たとえば、上記の場合、提供者の意図した通りにコンテンツのオーディオとクリックサウンドとが合成して再生されることを指す。「適切な接続」についても同様に、コンテンツの提供者が意図した通りに再生されるような入出力端子の接続のことを指す。また、実施の形態１において想定したＢＤ、ＤＶＤを再生するディスクプレーヤでは、ＤＶＤでは常に適切な再生が可能だが、ＢＤでは適切な再生がなされない場合があるように、メディアによって適切な再生がなされるか否かが変わる。
【００２８】
このように、実施の形態１に係る再生装置１では、コンテンツにより、あるいはメディアにより、特定の接続（上記ではＳ／ＰＤＩＦ）を介して適切な再生がなされないときに、それが適切な接続でないことをユーザに通知することを目的としている。したがって、当然ながら、本発明が適用可能なプレーヤの種別、再生されるメディアの種別は上記に限るものではなく、たとえば、ＨＤＤ（Hard Disk Drive）、フラッシュメモリなどの内蔵記録メディア、ＳＤ（Secure Digital）メモリカードなど着脱可能な記録メディアとそれらのプレーヤ、またそれらの組合せに対しても、コンテンツによって、あるいはメディアによって最適な接続系統が異なるといった状況があれば、本発明が適用可能であることは言うまでもない。さらに、本発明は、上記記録メディアに記録されたコンテンツを再生するためのプレーヤに限らず、ストリーミング通信によって与えられるコンテンツを再生するプレーヤに対しても適用可能である。
【００２９】
図２は、実施の形態１に係る再生装置１の概略構成を示す機能ブロック図である。
図２を参照して、実施の形態１に係る再生装置１の概略構成について説明する。
【００３０】
再生装置１は、ディスク１１からデータを読み出すための読出部１０１と、圧縮されたデータを復号するための復号部１０２と、データを合成するための合成部１０３と、デジタルデータをアナログデータに変換するためのＤ／Ａ変換部１０４と、管理情報３０に基づいてどのデータを出力するかを判定するための判定部１０５と、警告音等を生成するための警告発生部１０６と、判定部１０５からの制御信号によって読出部１０１または警告発生部１０６からの信号を選択的に出力するためのスイッチ１０７と、信号を外部装置に出力するための出力端子１０とを備える。なお、出力端子１０は、Ｓ／ＰＤＩＦ出力端子１０ａと、ＨＤＭＩ出力端子１０ｂと、アナログ出力端子１０ｃとを含み、スイッチ１０７と出力端子１０とは出力部１０８として機能する。
【００３１】
読出部１０１は、記録メディアであるディスク１１からデータを読み出して各処理部へ与える。実施の形態１では、ディスク１１からＡＶコンテンツのオーディオデータ（図２において、コンテンツオーディオ３２）とその管理情報３０、並びに、ポップアップメニューやゲームなどの付加コンテンツが存在する場合に付加コンテンツのオーディオデータ（図２において、クリックサウンド３４）を読み出す。ここで、管理情報３０には、ディスクの種別を示すメディア情報（たとえば、ディスクがＢＤであるかＤＶＤであるかを示す情報）、コンテンツの中味を示すコンテンツ情報（たとえば、ＡＶコンテンツに付加コンテンツ（たとえばゲーム）が付されているか否かを示す情報）が含まれる。
【００３２】
復号部１０２は、読出部１０１で読み出されたマルチチャンネルのコンテンツ圧縮オーディオデータ（たとえば、ＡＣ−３データ）を受けて復号し、非圧縮のマルチチャンネルオーディオデータ（たとえば、マルチチャンネルＬＰＣＭデータ）を合成部１０３に対し与える。
【００３３】
合成部１０３は、復号されたコンテンツオーディオデータと付加コンテンツのクリックサウンドとを合成する。そして、合成して得られたマルチチャンネルオーディオをＨＤＭＩ出力端子１０ｂを介して出力する。また、同じくマルチチャンネルオーディオデータをＤ／Ａ変換部１０４に与える。
【００３４】
Ｄ／Ａ変換部１０４は、合成部１０３で合成されたデジタルのマルチチャンネルオーディオをアナログのマルチチャンネルオーディオに変換する。そして、変換したアナログオーディオを、アナログ出力端子１０ｃを介して出力する。なお、合成とＤ／Ａ変換とはいずれを先に行なってもよい。たとえば、図２と反対に、復号されたコンテンツオーディオ並びにクリックサウンドをそれぞれＤ／Ａ変換後に、デジタル信号の組、アナログ信号の組それぞれを合成してＨＤＭＩ出力端子１０ｂ、アナログ出力端子１０ｃを介して出力するようにしてもかまわない。
【００３５】
以上説明したように、ＨＤＭＩ出力端子１０ｂおよびアナログ出力端子１０ｃからは、復号部１０２からＤ／Ａ変換部１０４を通して得られる、クリックサウンドを含んで合成されたマルチチャンネルオーディオ信号が出力される。
【００３６】
一方、Ｓ／ＰＤＩＦ出力端子１０ａからは、以下で説明するように、判定部１０５の制御信号を受けたスイッチ１０７により選択されたコンテンツの圧縮オーディオデータあるいは警告信号が出力される。
【００３７】
判定部１０５は、読出部１０１で読み出された管理情報３０に基づいて、Ｓ／ＰＤＩＦ出力端子１０ａに、コンテンツのオーディオデータ（圧縮データ）を出力するか、警告発生部１０６で発生させた警告音を出力するかを指示する制御信号をスイッチ１０７に与える。
【００３８】
上述したように、再生するコンテンツがＢＤコンテンツであり、コンテンツの視聴と同期してプレイできる効果音付ゲーム等の付加コンテンツが添付されていると仮定したとき、Ｓ／ＰＤＩＦでは、上述の制限から、クリックサウンドなど他のオーディオ信号をコンテンツのオーディオと合成して出力しない場合がある。即ち、Ｓ／ＰＤＩＦ経由でオーディオを出力する環境では、適切な（コンテンツの提供者が望む）再生がなされない。適切に、コンテンツ音とクリック音とを一緒に出すためには、アナログ又はＨＤＭＩ経由で出力する必要がある。なお、ＢＤコンテンツで付加コンテンツ（のオーディオ信号）があるか否かはコンテンツ依存なため、正しい形態で視聴できているか否かをユーザが知る（誤って視聴していることに気付く）ことは難しい。特に、ＢＤプレーヤを含む多数のＡＶ機器を所有し、ＡＶアンプとの接続を頻繁に接続しなおすような状況にある使用環境では、誤接続の問題が定常的に発生する。
【００３９】
そのため、判定部１０５は、管理情報３０から、どのようなコンテンツを再生するのかを判断して、スイッチ１０７に対し警告音を出す／出さないの制御信号を与える。合成するクリックサウンドがあり、Ｓ／ＰＤＩＦでの出力が適切でないと判断されるのは、付加コンテンツを伴うＢＤコンテンツの再生時である。したがって、判定部１０５では、管理情報に含まれるコンテンツ情報から、コンテンツにクリックサウンドを伴う付加コンテンツが添付されているかを判断してスイッチ１０７に制御信号を送る。また、管理情報３０に含まれるメディア情報から、コンテンツが記録されたディスクがＢＤかＤＶＤかを検知して切替えることもできる。ＢＤコンテンツにおいては、コンテンツの再生順・再生箇所情報を示したプレイリスト情報中にクリックサウンドを伴う付加コンテンツがあるかを示す情報があるため、それを利用して精度よく制御することが可能である。
【００４０】
警告発生部１０６は、判定部１０５で警告音をＳ／ＰＤＩＦを介して出力すると判定された場合に出す警告音（警告信号音、警告音声メッセージなど）を生成する。実施の形態１では、ＢＤ再生時に正しく再生できない可能性があることをユーザに通知するため、「アナログ出力端子かＨＤＭＩ出力端子に接続しないとコンテンツは意図通りに再生されません。」との警告音声を生成する。そして、Ｓ／ＰＤＩＦに出力し、ユーザに接続の変更を促す。無論、ユーザに同様の注意を促す内容であれば、どのような警告であっても構わない。たとえばビープ音など、音声以外の警告信号音であってもよい。
【００４１】
スイッチ１０７は、判定部１０５からの制御信号に基づいて、コンテンツのオーディオと警告音のいずれかをＳ／ＰＤＩＦに対し選択的に出力する。上記した警告音は、ユーザが解除操作する（スイッチ１０７をコンテンツオーディオ側に強制的に切替える）まで出力されるか、あるいは、一定期間発せられた後に自動的に止まる（スイッチ１０７がコンテンツオーディオ側に自動的に切替わる）ようにしてもよい。あるいは、定期的に切替わり警告音が定期的に出力されるようにしてもよい。また、既にライン接続済で確認の必要が無い場合（Ｓ／ＰＤＩＦに適切な出力がなされないことを承知の上でＳ／ＰＤＩＦを使用する場合も含む）には、スイッチ１０７をコンテンツオーディオ側にロックして警告音が出ないようにすることも可能である。
【００４２】
あるいは、スイッチ１０７の代わりに、コンテンツオーディオ３２（マルチチャンネルオーディオ）を復号し２チャンネルのＬＰＣＭ信号にダウンコンバートして出力する図示しない変換部、並びにダウンコンバートされた２チャンネルコンテンツオーディオに警告発生部１０６で発生させた（２チャンネルの）警告音を合成する図示しない合成部を備えてもよい。これにより、警告音とコンテンツオーディオとが合成された２チャンネルのオーディオデータをＳ／ＰＤＩＦに出力することも可能である（Ｓ／ＰＤＩＦは２チャンネルのＬＰＣＭオーディオデータを転送する帯域幅を持っているため転送可能である）。この場合、警告音が合成された時のみ２チャンネルオーディオデータとして転送される。
【００４３】
次に、ＡＶシステム１００における、再生装置１のオーディオ出力の動作例について説明する。
【００４４】
図３は、再生装置１とＡＶアンプ２１との間をＳ／ＰＤＩＦ、ＨＤＭＩ，アナログのいずれか１つのラインのみで接続した場合のオーディオ出力の様子を示した図である。
【００４５】
図４は、再生装置１とＡＶアンプ２１との間をＳ／ＰＤＩＦ、ＨＤＭＩ，アナログのいずれか２つのラインで接続した場合のオーディオ出力の様子を示した図である。
【００４６】
図５は、再生装置１とＡＶアンプ２１との間をＳ／ＰＤＩＦ、ＨＤＭＩ，アナログの全てのラインで接続した場合のオーディオ出力の様子を示した図である。
【００４７】
図３〜５を参照して、ＡＶシステム１００において、再生装置１とＡＶアンプ２１とで異なるオーディオライン接続を行なった場合に、オーディオ信号がどの接続を通してスピーカ２２に出力されるかについて説明する。なお、再生装置１には、各接続について接続されているか否かを判断する機能は無いものとする。即ち、再生装置１は各ラインにオーディオ信号を出力するか否かを選択的に行なうことは無いものとし、ＡＶアンプ２１に接続されたラインにはそれぞれ対応するオーディオ信号が再生装置１から出力されるものとする。
【００４８】
従来の再生装置（プレーヤ）では、Ｓ／ＰＤＩＦ、ＨＤＭＩ、アナログ全てに同じオーディオ信号（ただし、Ｓ／ＰＤＩＦにはクリックサウンドが重畳されていない）が出力される。これに対して、本発明の再生装置１では、Ｓ／ＰＤＩＦのみ出力が異なる（警告音が出力される）ことがポイントとなる。そのため、図３〜５においては、Ｓ／ＰＤＩＦにのみ警告音が出力され転送されていることを２重線を用いて図示している。一方、警告音が転送されないＨＤＭＩ、アナログ接続については１重線を用いて図示している。また、入出力端子同士が線で結ばれていないラインは接続されていないラインを示す。
【００４９】
ＡＶアンプ２１では、前述のように、ユーザが選択操作をするか、自動判定をするかによって、１つの入力信号がスピーカ２２に出力される。図３〜５の例では、ＨＤＭＩ＞アナログ＞Ｓ／ＰＤＩＦの優先順に出力が自動選択されることを想定している。即ち、全てのラインが接続された場合、ＨＤＭＩが正しい接続として優先され、ＨＤＭＩ端子を介して得られたオーディオ信号がスピーカ２２に出力される。
【００５０】
図３において、図３（Ａ）はＳ／ＰＤＩＦを接続した場合を示す図、図３（Ｂ）はＨＤＭＩを接続した場合を示す図、図３（Ｃ）はアナログを接続した場合を示す図である。
【００５１】
この場合、実施の形態１に係る再生装置１では、図３（Ａ）に示したように、Ｓ／ＰＤＩＦのみが接続された場合にのみスピーカ２２に警告音が出力される。即ち、ＨＤＭＩあるいはアナログのみをつないだ状態では警告無しで従来と同様にコンテンツの再生が行なわれる。そして、Ｓ／ＰＤＩＦを通したときのみ、警告を受けて適切な接続への切替えをユーザに促すことができる。
【００５２】
図４において、図４（Ａ）はＨＤＭＩ以外を接続した場合を示す図、図４（Ｂ）はアナログ以外を接続した場合を示す図、図４（Ｃ）はＳ／ＰＤＩＦ以外を接続した場合を示す図である。
【００５３】
図４（Ａ）および図４（Ｂ）では、Ｓ／ＰＤＩＦが接続されて、警告音が再生装置１からＳ／ＰＤＩＦを通してＡＶアンプ２１に入力される。しかし、ＡＶアンプ２１は、もう一方のアナログまたはＨＤＭＩ入力を優先させてスピーカ２２へ出力する。このため、スピーカ２２からは警告音が出力されない。つまり、不要な警告をユーザが聞くことはない。仮に、ＡＶアンプ２１の選択操作をユーザが手動で行ない、Ｓ／ＰＤＩＦに切替えた場合、その時点で初めてＳ／ＰＤＩＦを通した警告音がユーザに聞こえ、選択した出力が適切でないことがユーザに通知される。再生装置１は単純にＳ／ＰＤＩＦに警告音を出力しているのみで、どのラインが接続されているかを判断するなどの処理は一切行なっていない。即ち、実施の形態１に係る、ＡＶシステム１００における再生装置１は、非常に単純な構成でユーザの選択した接続が適切でないことを通知可能としている。このため、適切な接続でない場合に適切な接続への切替えをユーザに促すことができる。
【００５４】
図５において、図４の場合と同様に、ＡＶアンプ２１が最優先のＨＤＭＩ入力を自動で選択する場合、スピーカ２２からはＳ／ＰＤＩＦを通した警告音は出力されない。ＡＶアンプ２１の選択操作をユーザが手動で行ない、Ｓ／ＰＤＩＦに切替えた場合に、その時点で初めてＳ／ＰＤＩＦを通した警告音がユーザに聞こえ、選択した出力が適切でないことがユーザに通知される。即ち、実施の形態１に係る、ＡＶシステム１００における再生装置１は、非常に単純な構成でユーザに選択した接続が適切でないことを通知可能としている。このため、適切な接続でない場合に適切な接続への切替えをユーザに促すことができる。
【００５５】
以上のように、実施の形態１に係る再生装置１は、コンテンツに付随する管理情報（コンテンツ情報やメディア情報）を用いて誤接続を警告する警告音を出力するか否かを判定し、判定の結果、警告音を特定のライン（適切でない接続ライン、本実施の形態ではＳ／ＰＤＩＦ）のみに出力する。再生装置１を含むＡＶシステム１００は、このような簡易な構成で、適切でない出力ラインが選択された場合にのみ警告音を出力可能とし、適切でない出力が選択されていることをユーザに通知することができる。ユーザは、オーディオライン接続が適切でないことを知り、正しい接続への切替えを促される。ユーザにとっては、出力された警告に従って接続を変えればよいので、接続が適切か否かを詳細に確認する必要がなく、ユーザにも余分な負担がかからない。ユーザは、出力された警告に従って接続を変えるのみで、適切な形態でのコンテンツの視聴が可能となる。
【００５６】
実施の形態１に係る再生装置１では、いずれのラインが接続されているかを判断しない。即ち、いずれのラインが接続されているかを判断するといった負荷の高い処理を必要とせず、簡易な構成で、上記したようなユーザへの通知並び適切な接続への切替えの誘導を実現可能である。したがって、機器では煩雑な処理が軽減され、負荷を軽くすることができる。
【００５７】
［実施の形態２］
図６は、実施の形態２に係る再生装置６を含むＡＶシステム７００を示した図である。
【００５８】
図６を参照して、ＡＶシステム７００について説明する。
ＡＶシステム７００は、再生装置６と、再生装置６と接続されたＡＶアンプ７１とから構成される。また、ＡＶアンプ７１は、モニタ７２と接続される。
【００５９】
再生装置６の出力端子６０は、アナログ出力端子６０ａと、ＨＤＭＩ出力端子６０ｂとを含む。また、ＡＶアンプ７１の入力端子７０は、アナログ入力端子７０ａと、ＨＤＭＩ入力端子７０ｂとを含む。図６に示すように、出力端子と入力端子とは、それぞれ対応する端子と接続される。
【００６０】
実施の形態２では、再生装置６をアナログ、デジタル（ＨＤＭＩ）映像出力端子を持ったＡＶディスクプレーヤと仮定する。再生装置６は、映像出力として望ましくない端子が選択されている際に、接続が適切でないことを、映像出力を通して簡易な方法で警告する。即ち、再生装置６は、ディスク１１から読み出した映像信号を復号し出力する装置である。なお、ＡＶシステム７００では映像信号に関するライン接続系統、並びに映像出力に係るモニタ７２のみを構成物として図示する。無論、実施の形態１と同様、実際のプレーヤは、図示された映像ライン接続、映像出力機器（モニタ）以外にも、オーディオライン接続、コントロールライン接続、オーディオ出力機器（スピーカ）など含んでかまわない。また、Ｒ／Ｇ／Ｂの３線で１つの接続がなされるなど１つの接続が複数の結線で構成されてよいこと、あるいは、ＨＤＭＩを２系統備えるなど１つの種類に対して複数のライン接続系統が備えられてよいことなどについても、実施の形態１と同様である。
【００６１】
本実施の形態では、デジタル（ＨＤＭＩ）、アナログ映像出力を持ったプレーヤにおいて、高解像度の映像がディスクに記録されていた際に、プレーヤの能力的な制限（あるいはＡＶアンプ他の接続機器の能力的な制限の場合もある）から、アナログ出力では低い解像度しか出力できない場合を考える。更には、コンテンツに付随する付加コンテンツ（メニュー画面、ゲームなど）が特に高解像度表示を意識して製作されたものであり、ダウンコンバートして出力することが制限、禁止されているといった場合を考える。このような場合に、アナログ接続で映像を視聴しているユーザは他方の（デジタル）出力で再生されるコンテンツが異なっていることに気付かないため、結果として提供者は意図通りのコンテンツ視聴体験をユーザに提供できない、といったことが起こり得る。従って、実施の形態２に係る再生装置６では、映像の解像度を示す情報、高解像度表示用付加コンテンツが付加されているか否かを示す情報（これらは実施の形態１で示したコンテンツ情報）を含む管理情報を使って、アナログ側に「デジタル出力につながないとコンテンツは意図通りに出力されません」といった主旨の警告文字（映像）を出すか否かを判断し、接続が適切でない場合にユーザに接続の変更を促す。
【００６２】
図７は、実施の形態２に係る再生装置６の概略構成を示す機能ブロック図である。
図７を参照して、実施の形態２に係る再生装置６の概略構成について説明する。
【００６３】
再生装置６は、ディスク１１からデータを読み出すための読出部６０１と、圧縮されたデータを復号するための復号部６０２と、復号データと付加コンテンツとを合成するための付加コンテンツ合成部６０３と、映像データをアナログ出力用に変換するための解像度変換部６０４と、管理情報４０に基づいて、解像度変換部６０４からのデータに警告を合成するかどうかを判定するための判定部６０５と、警告文字等を生成するための警告発生部６０６と、解像度変換部６０４のデータに警告あるいは付加コンテンツを合成する警告合成部６０７と、デジタルデータをアナログデータに変換するためのＤ／Ａ変換部６０８と、信号を外部装置に出力するための出力端子６０とを備える。なお、出力端子６０は、アナログ出力端子６０ａと、ＨＤＭＩ出力端子６０ｂとを含み、警告合成部６０７、Ｄ／Ａ変換部６０８および出力端子６０は出力部６０９として機能する。
【００６４】
読出部６０１は、コンテンツの映像データ（符号化データ）、付加コンテンツ（メニュー画面、ゲームなど）データと共に、映像の解像度を示す情報、高解像度付加コンテンツの有無を示す情報を含む管理情報４０（コンテンツ情報）を読み出し、映像データ（図７において、コンテンツビデオ４２）は復号部６０２に、付加コンテンツデータ４４は付加コンテンツ合成部６０３および警告合成部６０７に、管理情報４０は判定部６０５に送られる。
【００６５】
復号部６０２は、ディスク１１から読出部６０１を介して読み出されたコンテンツビデオ４２を復号し、復号映像を得る。復号された高解像度映像信号は、付加コンテンツ合成部６０３および解像度変換部６０４に送られる。
【００６６】
付加コンテンツ合成部６０３は、復号済の高解像度映像信号に付加コンテンツを合成して出力する。この出力映像は、ＨＤＭＩ出力端子６０ｂを介して外部（たとえば、図６のＡＶアンプ７１）に出力される。
【００６７】
解像度変換部６０４は、復号部６０２から与えられた映像を、アナログ出力用に低解像度映像に変換（ダウンコンバート）して、警告合成部６０７に与える。
【００６８】
判定部６０５は、管理情報４０に含まれる解像度を示す情報から、再生装置６で出力されるアナログ信号の解像度がコンテンツ本来の解像度と一致しているか、異なっているかを判定する。一致している場合には、コンテンツの本来のサイズで出力されるため、警告は特に必要でない。
【００６９】
また、判定部６０５は、管理情報４０に含まれる高解像度付加コンテンツの有無を示す情報に基づいて、コンテンツ映像に警告文字（映像）を合成するか否かを判定し、警告合成部６０７に指示する。即ち、アナログ信号の解像度がコンテンツ本来の解像度と異なり（アナログ出力の解像度が低く）、かつ、解像度の変換が制限または禁止されている付加コンテンツがある場合に、警告合成部６０７に対し、コンテンツ映像に警告文字（映像）を合成するよう指示する制御信号を送る。
【００７０】
警告発生部６０６は、アナログ映像表示に対して重畳する警告文字あるいは警告映像を生成する。警告文字としては、解像度の高いデジタル出力への接続の切替えを促すため、「デジタル出力につながないとコンテンツは意図通りに出力されません」といったメッセージや、高解像度表示用の付加コンテンツがある場合に、「デジタル出力につながない場合、コンテンツの一部が正しく表示されません」といったメッセージが考えられる。無論、警告文字はこれらに限らず、ユーザに同様の注意を促す内容であれば、どのような警告であっても構わない。また、警告文字以外の、接続が適切でないことを示すことができる警告映像、警告信号パターンなどでもよい。
【００７１】
警告合成部６０７は、判定部６０５でアナログ接続が適切でないと判断された場合に、解像度変換部６０４で得られたダウンコンバート後のコンテンツ映像と、警告発生部６０６で生成された警告文字（映像）とを合成して（コンテンツ映像に警告文字を重畳して）、Ｄ／Ａ変換部６０８に与える。また、出力解像度の制限、禁止のない付加コンテンツがあれば共に合成する。一方、警告文字（映像）の合成が指示されない（アナログ出力の解像度がコンテンツ本来の解像度に一致する、または出力解像度に制限、禁止のある高解像度付加コンテンツが無い）場合には、警告合成部６０７は、コンテンツ映像と、合成すべき付加コンテンツがあれば付加コンテンツとを合成し、出力映像をＤ／Ａ変換部６０８に与える。
【００７２】
Ｄ／Ａ変換部６０８は、警告合成部６０７から出力された警告文字（映像）を含む低解像度コンテンツ映像をＤ／Ａ変換してアナログ映像信号を出力する。出力された映像信号は、アナログ出力端子を通して外部（たとえば、図６のＡＶアンプ７１）に出力される。なお、Ｄ／Ａ変換は必ずしも最後に行なう必要はなく、解像度変換の前（復号部６０２と解像度変換部６０４との間）や、警告文字の合成の前（解像度変換部６０４と警告合成部６０７との間）で実施するようにしてもよい。
【００７３】
次に、ＡＶシステム７００における、再生装置６の映像出力の動作例について説明する。
【００７４】
図８は、再生装置６とＡＶアンプ７１との間をアナログ、ＨＤＭＩのいずれか１つのラインのみで接続した場合の映像出力の様子を示した図である。
【００７５】
図９は、再生装置６とＡＶアンプ７１との間をアナログ、ＨＤＭＩ共にライン接続した場合の映像出力の様子を示した図である。
【００７６】
図８および図９を参照して、ＡＶシステム７００において、再生装置６とＡＶアンプ７１とで異なる映像ライン接続を行なった場合に、映像信号がどの接続を通してモニタ７２に出力されるかについて説明する。なお、再生装置６には、各接続について接続されているか否かを判断する機能は無い。また、ＡＶアンプ７１は、ＨＤＭＩ＞アナログの優先順に出力が自動選択されることを想定して図示している。即ち、両方のラインが接続された場合、ＨＤＭＩが正しい接続として優先され、ＨＤＭＩを通して得られた映像信号がモニタ７２に出力される。また、ユーザが選択操作をすることによって接続されているラインのいずれかを選択し切替えることが可能とする。
【００７７】
なお、図８および図９においては、実施の形態１と同様に、警告文字（映像）が出力され転送されていることを２重線を用いて図示している。一方、警告文字（映像）が転送されないＨＤＭＩ接続については１重線を用いて図示している。また、入出力端子同士が線で結ばれていないラインは接続されていないラインを示す。
【００７８】
図８において、図８（Ａ）はアナログを接続した場合を示す図、図８（Ｂ）はＨＤＭＩを接続した場合を示す図である。
【００７９】
この場合、実施の形態２に係る再生装置６では、図８（Ａ）に示したように、アナログのみが接続された場合にのみ警告文字（映像）が出力される。図８（Ｂ）に示すようにＨＤＭＩのみをつないだ状態では警告無しで従来と同様にコンテンツの再生が行なわれる。これにより、アナログを介した出力の場合のみ警告を受けて適切な接続への切替えを簡単な構成でユーザに促すことができる。
【００８０】
図９において、ＡＶアンプ７１ではＨＤＭＩが優先されるため、モニタ７２にはアナログを介した警告文字（映像）が出力されない。ＡＶアンプ７１の選択操作をユーザが手動で行ない、アナログに切替えたとき、初めてアナログを介した警告文字（映像）がユーザに見え、選択した出力が適切でないことがユーザに通知される。即ち、本発明の再生装置６及びＡＶシステム７００は非常に単純な構成でユーザに選択した接続が適切でないことを通知可能であり、適切な接続でない場合に適切な接続への切替えをユーザに促すことを可能としている。
【００８１】
以上のように、実施の形態２に係る再生装置６は、コンテンツに付随する管理情報（コンテンツ情報）を利用して、接続が適切であるか否か、警告を出すか否かを判定し、判定の結果、警告を特定のライン（適切でない接続ライン、本実施の形態ではアナログ）のみに出力する。実施の形態２に係る再生装置６を含むＡＶシステム７００は、このような簡易な構成で、適切でない出力ラインが選択された場合にのみ警告をユーザに視聴可能とし、適切でない出力が選択されていることをユーザに通知することができる。ユーザは、映像のライン接続が適切でないことを知り、正しいデジタル出力接続への切替えを促される。
【００８２】
また、実施の形態２に係る再生装置６では、いずれのラインが接続されているかを判断しない。即ち、いずれのラインが接続されているかを判断するといった負荷の高い処理を必要とせず、簡易な構成で、上記したようなユーザへの通知並び適切な接続への切替えの誘導を実現可能である。
【００８３】
また、実施の形態２に係る再生装置６は、デジタル、アナログ映像出力を両方つなぐとメニュー表示がデジタル側にしか出力されない、といった機能仕様を持ったＡＶ機器に対して、デジタル、アナログ映像出力をいずれもつないだ際に、アナログ側のみに「メニューはデジタル出力に表示されています。」といった主旨の警告を出すことにも利用することが可能である。
【００８４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８５】
【図１】実施の形態１に係る再生装置１を含むＡＶシステム１００を示した図である。
【図２】実施の形態１に係る再生装置１の概略構成を示す機能ブロック図である。
【図３】再生装置１とＡＶアンプ２１との間をＳ／ＰＤＩＦ、ＨＤＭＩ，アナログのいずれか１つのラインのみで接続した場合のオーディオ出力の様子を示した図である。
【図４】再生装置１とＡＶアンプ２１との間をＳ／ＰＤＩＦ、ＨＤＭＩ，アナログのいずれか２つのラインで接続した場合のオーディオ出力の様子を示した図である。
【図５】再生装置１とＡＶアンプ２１との間をＳ／ＰＤＩＦ、ＨＤＭＩ，アナログの全てのラインで接続した場合のオーディオ出力の様子を示した図である。
【図６】実施の形態２に係る再生装置６を含むＡＶシステム７００を示した図である。
【図７】実施の形態２に係る再生装置６の概略構成を示す機能ブロック図である。
【図８】再生装置６とＡＶアンプ７１との間をアナログ、ＨＤＭＩのいずれか１つのラインのみで接続した場合の映像出力の様子を示した図である。
【図９】再生装置６とＡＶアンプ７１との間をアナログ、ＨＤＭＩ共にライン接続した場合の映像出力の様子を示した図である。
【符号の説明】
【００８６】
１  再生装置、６  再生装置、１０  出力端子、１１  ディスク、２０  入力端子、２１  ＡＶアンプ、２２  スピーカ、６０  出力端子、７０  入力端子、７２  モニタ、１００  ＡＶシステム、１０１  読出部、１０２  復号部、１０３  合成部、１０４  Ｄ／Ａ変換部、１０５  判定部、１０６  警告変換部、１０７  スイッチ、１０８  出力部、６０１  読出部、６０２  復号部、６０３  付加コンテンツ合成部、６０４  解像度変換部、６０５  判定部、６０６  警告発生部、６０７  警告合成部、６０８  Ｄ／Ａ変換部、６０９  出力部、７００  ＡＶシステム。
【図１】
2008187253.tif 000003
【図２】
2008187253.tif 000004
【図３】
2008187253.tif 000005
【図４】
2008187253.tif 000006
【図５】
2008187253.tif 000007
【図６】
2008187253.tif 000008
【図７】
2008187253.tif 000009
【図８】
2008187253.tif 000010
【図９】
2008187253.tif 000011